(57)【要約】【課題】不要な電力消費を抑えることが可能なリモコン装置及びリモコン装置の制御方法を提供する。【解決手段】第１操作キー群を上面に配置するとともに、当該第１操作キー群を照明可能な位置に第１照明部を設けた第１筺体と、第２操作キー群を上面に配置するとともに、当該第２操作キー群を照明可能な位置に第２照明部を設けた第２筺体と、前記第２筐体の上面に前記第１筐体を重ねた状態で、前記第１筐体及び前記第２筐体を相対回動可能に連結し、前記第１筺体の底面で前記第２筺体の上面を遮蔽した閉状態と、前記第１筺体の底面から前記第２操作キー群を露出させた開状態と、を実現する開閉機構部と、前記第１操作キー群及び前記第２操作キー群の無操作状態を個別に検出する無操作状態検出手段と、前記無操作状態検出手段の検出結果に応じて、前記第１照明部及び前記第２照明部の点灯／消灯を制御する制御手段と、を備える。【選択図】図５
2012195965.tif 000002
【特許請求の範囲】
【請求項１】
第１操作キー群を上面に配置するとともに、当該第１操作キー群を照明可能な位置に前記第１操作キー群を照明する第１照明部を設けた第１筺体と、
第２操作キー群を上面に配置するとともに、当該第２操作キー群を照明可能な位置に前記第２操作キー群を照明する第２照明部を設けた第２筺体と、
前記第２筐体の上面に前記第１筐体を重ねた状態で、前記第１筐体及び前記第２筐体を相対回動可能に連結し、前記第１筺体の底面で前記第２筺体の上面を遮蔽した閉状態と、前記第１筺体の底面から前記第２操作キー群を露出させた開状態と、を実現する開閉機構部と、
前記第１操作キー群及び前記第２操作キー群の無操作状態を個別に検出する無操作状態検出手段と、
前記無操作状態検出手段の検出結果に応じて、前記第１照明部及び前記第２照明部の点灯／消灯を制御する制御手段と、
を備え、
前記制御手段は、前記第１照明部及び前記第２照明部を点灯させた状態で、前記第１操作キー群の無操作状態が所定時間継続し、且つ前記第２操作キー群の無操作状態が所定時間未満の場合に、前記第１照明部を消灯させるリモコン装置。
【請求項２】
前記制御手段は、前記第１操作キー群及び前記第２操作キー群の無操作状態が所定時間継続した場合に、前記第１照明部及び前記第２照明部を消灯させる請求項１に記載のリモコン装置。
【請求項３】
前記開閉機構部により実現される前記第１筺体及び前記第２筺体の開閉状態を検出する開閉検出手段を更に備え、
前記制御手段は、前記開閉検出手段の検出結果に応じて、前記第１照明部及び前記第２照明部の点灯／消灯を制御する請求項１又は２に記載のリモコン装置。
【請求項４】
前記制御手段は、前記第１筺体及び前記第２筺体が閉状態のときに、前記第１照明部を点灯させ、前記第１筺体及び前記第２筺体が開状態のときに、前記第１照明部及び前記第２照明部を点灯させる請求項３に記載のリモコン装置。
【請求項５】
前記第１操作キー群は、照明の点灯を指示するための点灯指示キーを少なくとも有し、
前記開閉検出手段は、前記点灯指示キーの操作に応じて、前記第１筺体及び前記第２筺体の開閉状態を検出する請求項１〜４の何れか一項に記載のリモコン装置。
【請求項６】
前記第１筺体及び前記第２筺体は、略長方形状に形成されている請求項１〜５の何れか一項に記載のリモコン装置。
【請求項７】
前記開閉機構部は、前記第１筺体及び前記第２筺体の略中央で且つ前記第１筺体及び前記第２筺体の操作面に対し略直交する位置に設けられた回動軸を中心に、前記第１筺体及び前記第２筺体を相対回動させる請求項１〜６の何れか一項に記載のリモコン装置。
【請求項８】
リモコン装置の制御方法であって、
前記リモコン装置は、第１操作キー群を上面に配置するとともに、当該第１操作キー群を照明可能な位置に前記第１操作キー群を照明する第１照明部を設けた第１筺体と、
第２操作キー群を上面に配置するとともに、当該第２操作キー群を照明可能な位置に前記第２操作キー群を照明する第２照明部を設けた第２筺体と、
前記第２筐体の上面に前記第１筐体を重ねた状態で、前記第１筐体及び前記第２筐体を相対回動可能に連結し、前記第１筺体の底面で前記第２筺体の上面を遮蔽した閉状態と、前記第１筺体の底面から前記第２操作キー群を露出させた開状態と、を実現する開閉機構部と、
を備え、
無操作状態検出手段が、前記第１操作キー群及び前記第２操作キー群の無操作状態を個別に検出する無操作状態検出ステップと、
制御手段が、前記無操作状態検出ステップの検出結果に応じて、前記第１照明部及び前記第２照明部の点灯／消灯を制御する制御ステップと、
を含み、
前記制御手段は、前記制御ステップにおいて、前記第１照明部及び前記第２照明部を点灯させた状態で、前記第１操作キー群の無操作状態が所定時間継続し、且つ前記第２操作キー群の無操作状態が所定時間未満の場合に、前記第１照明部を消灯させるリモコン装置の制御方法。
【発明の詳細な説明】
【技術分野】
【０００１】
本発明の実施形態は、リモコン装置及びリモコン装置の制御方法に関する。
【背景技術】
【０００２】
従来、テレビ受像機やビデオ機器、ＤＶＤ機器、セットトップボックス等の機器では、それぞれの機器に設けられたリモコン装置を用いて遠隔操作できるようになっている。係るリモコン装置には、機器が備える機能を作動させるための各種キーが備えられている。また、従来、リモコン装置や携帯電話機等の機器において、各種キーを背面から照明するバックライト（キーバックライト）を備えることで、暗所等での操作性の向上を図った技術が提案されている。
【先行技術文献】
【特許文献】
【０００３】
【特許文献１】特開２００８−２８９０８１号公報
【特許文献２】特開２０１０−１８７２３６号公報
【発明の概要】
【発明が解決しようとする課題】
【０００４】
ところで、リモコン装置に配置される操作キーは、主に使用されるメインキーと、特定の用途に使用されるサブキーとに分別することができる。このようなキー構成の場合、省スペース化やデザイン上の観点から、サブキー側はカバー等で覆われた状態で配置され、使用時にカバーを開状態とする構成が採用されることが一般的である。しかしながら、従来のリモコン装置では、メインキーのみ或いはメインキーとサブキーとを同時に照明するような構成であるため、操作の行われていないキー部分を照明する場合があり、不要な電力を消費する可能性があった。
【０００５】
本発明は、上記に鑑みてなされたものであって、不要な電力消費を抑えることが可能なリモコン装置及びリモコン装置の制御方法を提供することを目的とする。
【課題を解決するための手段】
【０００６】
実施の形態のリモコン装置は、第１操作キー群を上面に配置するとともに、当該第１操作キー群を照明可能な位置に前記第１操作キー群を照明する第１照明部を設けた第１筺体と、第２操作キー群を上面に配置するとともに、当該第２操作キー群を照明可能な位置に前記第２操作キー群を照明する第２照明部を設けた第２筺体と、前記第２筐体の上面に前記第１筐体を重ねた状態で、前記第１筐体及び前記第２筐体を相対回動可能に連結し、前記第１筺体の底面で前記第２筺体の上面を遮蔽した閉状態と、前記第１筺体の底面から前記第２操作キー群を露出させた開状態と、を実現する開閉機構部と、前記第１操作キー群及び前記第２操作キー群の無操作状態を個別に検出する無操作状態検出手段と、前記無操作状態検出手段の検出結果に応じて、前記第１照明部及び前記第２照明部の点灯／消灯を制御する制御手段と、を備え、前記制御手段は、前記第１照明部及び前記第２照明部を点灯させた状態で、前記第１操作キー群の無操作状態が所定時間継続し、且つ前記第２操作キー群の無操作状態が所定時間未満の場合に、前記第１照明部を消灯させる。
【図面の簡単な説明】
【０００７】
【図１】図１は、本実施形態に係るリモコン装置の閉状態における上面図。
【図２】図２は、図１に示したリモコン装置のＡ−Ａラインでの断面を模式的に示す図。
【図３】図３は、本実施形態に係るリモコン装置の開状態における上面図。
【図４】図４は、図３に示したリモコン装置のＢ−Ｂラインでの断面を模式的に示す図。
【図５】図５は、本実施形態に係るリモコン装置のハードウェア構成を模式的に示す図。
【図６】図６は、本実施形態に係るリモコン装置が実行する第１バックライト制御処理の手順を示すフローチャート。
【図７】図７は、本実施形態に係るリモコン装置が実行する第２バックライト制御処理の手順を示すフローチャート。
【図８】図８は、本実施形態に係るリモコン装置の他の例を示す図。
【発明を実施するための形態】
【０００８】
以下、図面を参照して、本実施形態に係るリモコン装置について説明する。本実施形態に係るリモコン装置は、例えばテレビ等の放送波受信装置やＨＤＤレコーダ等の録画再生装置、セットトップボックス等の機器を遠隔で操作するものある。
【０００９】
図１〜図４は、本実施形態に係るリモコン装置の一例を示す図である。ここで、図１は、本実施形態に係るリモコン装置１０の閉状態における上面図である。図２は、図１に示したリモコン装置１０のＡ−Ａラインでの断面を模式的に示す図である。また、図３は、本実施形態に係るリモコン装置１０の開状態における上面図である。図４は、図３に示したリモコン装置１０のＢ−Ｂラインでの断面を模式的に示す図である。
【００１０】
図１〜図４に示すように、リモコン装置１０は、略直方形状を有した第１筐体としての上面側筐体１１と、略直方形状を有した第２筐体としての底面側筐体１２と、上面側筐体１１と底面側筐体１２とを回動軸ＡＸを中心に相対回動可能に連結（接続）する回動連結部１３とを備えている。ここで、上面側筐体１１と底面側筐体１２とは、回動連結部１３の回動軸ＡＸ方向（Ｚ軸方向）から見て略同一の外縁を有している。
【００１１】
上面側筐体１１の上面となる操作面上には、操作キー群１１１と、方向キー１１２と、中央キー１１３と、ライトキー１１４とが配置されている。ここで、操作キー群１１１は、リモート操作先の機器（以下、操作機器という）が有する主要な機能を作動させるものであり、例えば、チャンネル選択や音量コントロール等の各種キーが含まれる。
【００１２】
方向キー１１２は、操作機器の表示画面上に表示されるフォーカスを移動させるためのものである。中央キー１１３は、表示装置１６の画面上に表示されたポインタを移動させるポインティングバイスとしての機能を有するとともに、各種の決定動作を行うための機能を有している。また、ライトキー１１４は、リモコン装置１０が具備する後述するバックライト（図５の上面側バックライト１１５、底面側バックライト１２４参照）の点灯を指示するものである。
【００１３】
また、上面側筐体１１には、図２及び図４に示すように、操作キー群１１１、方向キー１１２、中央キー１１３及びライトキー１１４を保持するとともに、これら各キーを背面から照明する上面側バックライト１１５（図５参照）を保持するキー保持部１１ａと、基準電位パターン（図示せず）等を備える回路基板１１ｂとが収容配置されている。なお、上面側筐体１１において行われたキー操作の操作内容は、回動連結部１３を介して底面側筐体１２のマイクロプロセッサ１２３（図５参照）に出力されるものとする。
【００１４】
一方、底面側筐体１２の上面となる操作面上、つまり上面側筐体１１の底面と対向する面上には、ＥＮＴＥＲキーを含んだ文字入力のための入力キー群１２１が配置されている。入力キー群１２１の入力キーをユーザが押下することによって、押下された入力キーに対応する数字や文字を表す信号（キーコード）が操作機器に送信される。
【００１５】
また、図２に示すように、底面側筐体１２の前面（図２で上側）には、赤外線ＬＥＤやＢｌｕｅｔｏｏｔｈ（登録商標）通信部等を有した送信部１２２が設けられている。ユーザが上面側筐体１１又は底面側筐体１２で行った操作内容は、後述するイベントコードとして送信部１２２から操作機器に送信されるよう構成されている。
【００１６】
さらに、底面側筐体１２には、図２及び図４に示すように、操作面上に配置された入力キー群１２１を保持するとともに、これら各キーを背面から照明する底面側バックライト１２４（図５参照）を保持するキー保持部１２ａと、基準電位パターン（図示せず）や後述するマイクロプロセッサ１２３（図５参照）等を備える回路基板１２ｂと、電源としての電池（図示せず）とが収容配置されている。
【００１７】
回動連結部１３は、回動軸ＡＸを中心に上面側筐体１１と底面側筐体１２とを互いに回動可能に連結する。ここで回動連結部１３の回動軸ＡＸは、上面側筐体１１及び底面側筐体１２において、長手方向及び短手方向の中央に位置している。
【００１８】
回動連結部１３は、図２及び図３に示すように、リモコン装置１０の閉状態において、上面側筐体１１及び底面側筐体１２の外縁が重なる位置に上面側筐体１１及び底面側筐体１２を保持する。そして、底面側筐体１２が図３に示す矢印Ｒの方向に回動され開状態となると、回動連結部１３は、回動軸ＡＸ方向（Ｚ軸方向）から見て、上面側筐体１１と底面側筐体１２との成す角が略直角となる配置まで回動し、入力キー群１２１を露出する（図４参照）。このように、リモコン装置１０では、入力キー群１２１を操作しない閉状態において、当該入力キー群１２１を上面側筐体１１に重ねて収容することができるため、リモコン装置１０の全体としてはコンパクトに構成することができる。
【００１９】
次に、図５を参照して、リモコン装置１０のハードウェア構成について説明する。ここで、図５は、本実施形態に係るリモコン装置１０のハードウェア構成を模式的に示す図である。リモコン装置１０は、上述した操作キー群１１１、方向キー１１２及び中央キー１１３及びライトキー１１４に加え、上面側バックライト１１５を上面側筐体１１に備えている。また、リモコン装置１０は、上述した入力キー群１２１及び送信部１２２に加え、マイクロプロセッサ１２３及び底面側バックライト１２４を底面側筐体１２に備えている。さらに、リモコン装置１０は、上面側筐体１１と底面側筐体１２との開閉状態を検出する、開閉検出部１３１を備えている。そして、これらの各部は、図示しないコネクタ等を介しマイクロプロセッサ１２３に接続されている。
【００２０】
ここで、開閉検出部１３１は、回動連結部１３の回動状態、つまりリモコン装置１０が閉状態にあるか開状態にあるかを検出し、その検出結果をマイクロプロセッサ１２３に出力する。なお、開閉検出部１３１を設ける位置や、リモコン装置１０の開閉状態の検出方法は特に問わないものとする。例えば、回動連結部１３と一体的に設けることで回動連結部１３の回動動作を直接検出したり、開状態において露出される底面側筐体１２の部位に設けた光センサを開閉検出部１３１として用いる等、公知・公用の技術を用いることが可能である。
【００２１】
上面側バックライト１１５は、上面側筐体１１に設けられた各キーに対応する位置に設けられ、これら各キーを背面から照射するキーバックライトである。また、底面側バックライト１２４は、底面側筐体１２に設けられた各キーに対応する位置に設けられ、これら各キーを背面から照射するキーバックライトである。上面側バックライト１１５及び底面側バックライト１２４は、ＬＣＤ（Light  Emitting  Diode）等の発光素子及び各キーへの導光部材等から構成され、マイクロプロセッサ１２３の制御に従い個別に点灯／消灯する。
【００２２】
マイクロプロセッサ１２３は、図示しないＲＯＭ（Read  Only  Memory）等の記憶媒体に記憶された各種のプログラム及び各種の設定情報に基づき、リモコン装置１０の動作を統括的に制御する制御部である。マイクロプロセッサ１２３は、ユーザがリモコン装置１０の各種キー（操作キー群１１１、方向キー１１２、中央キー１１３、入力キー群１２１）に対して行ったキー操作内容を受け付け、この操作内容に応じた信号を、送信部１２２を介してリモコン装置１０に送出する。
【００２３】
また、マイクロプロセッサ１２３は、ライトキー１１４の押下操作を受け付けると、開閉検出部１３１により検出されるリモコン装置１０の開閉状態に応じて、上面側バックライト１１５及び底面側バックライト１２４の点灯／消灯を個別に制御する。
【００２４】
具体的に、マイクロプロセッサ１２３は、リモコン装置１０が閉状態にある場合に、上面側バックライト１１５を点灯させることで、上面側筐体１１の操作面に配置された各キーを背面から照明する。また、マイクロプロセッサ１２３は、リモコン装置１０が開状態にある場合に、上面側バックライト１１５及び底面側バックライト１２４を点灯させることで、上面側筐体１１及び底面側筐体１２の操作面に配置された各キーを背面から照明する。
【００２５】
また、マイクロプロセッサ１２３は、上面側バックライト１１５及び／又は底面側バックライト１２４の点灯時において、上面側筐体１１の操作面に配置された各キー及び底面側筐体１２の操作面に配置された各キーに対する無操作の状態（以下、無操作状態という）を個別に検出し、この無操作状態が所定時間を継続すると、上面側バックライト１１５及び／又は底面側バックライト１２４を消灯させる。なお、マイクロプロセッサ１２３は、ＲＴＣ（Real  Time  Clock）等の計時部と協働することで、経過時間を計測する機能を有しているものとする。また、消灯の指標となる所定時間は設定情報と、数秒等の任意の値を設定できるものとする。
【００２６】
以下、図６及び図７を参照して、リモコン装置１０のバックライトの点灯／消灯動作について説明する。ここで、図６は、リモコン装置１０（マイクロプロセッサ１２３）が実行する第１バックライト制御処理の手順を示すフローチャートである。
【００２７】
まず、マイクロプロセッサ１２３は、ライトキー１１４が押下されるまで待機する（ステップＳ１１；Ｎｏ）。マイクロプロセッサ１２３は、ライトキー１１４の押下操作を受け付けると（ステップＳ１１；Ｙｅｓ）、開閉検出部１３１の検出結果に基づき、現在のリモコン装置１０の状態が開状態か否かを判定する（ステップＳ１２）。
【００２８】
ステップＳ１２において、リモコン装置１０が閉状態と判定すると（ステップＳ１２；Ｎｏ）、マイクロプロセッサ１２３は、上面側バックライト１１５を点灯とし、底面側バックライト１２４を消灯とすることで、上面側筐体１１の操作面に配置された各キーを背面から照明し（ステップＳ１３）、ステップＳ１２に再び戻る。
【００２９】
図１に示したように、リモコン装置１０が閉状態のとき、底面側筐体１２の操作面は上面側筐体１１の底面に重なった状態となるため、ユーザは入力キー群１２１を操作することはできない。そのため、底面側筐体１２の底面側バックライト１２４を消灯とし、操作可能な上面側筐体１１の上面側バックライト１１５を点灯させることで、不要な電力の消費を抑制することができる。
【００３０】
一方、ステップＳ１２において、リモコン装置１０が開状態と判定すると（ステップＳ１２；Ｙｅｓ）、マイクロプロセッサ１２３は、上面側バックライト１１５及び底面側バックライト１２４を点灯とすることで、上面側筐体１１及び底面側筐体１２の操作面に配置された各キーを背面から照明し（ステップＳ１４）、ステップＳ１２に再び戻る。
【００３１】
図３に示したように、リモコン装置１０が開状態のとき、底面側筐体１２の操作面は上面側筐体１１から露出するため、ユーザは上面側筐体１１の操作面上の各キーとともに、底面側筐体１２の操作面上の入力キー群１２１を操作することが可能となる。そのため、上面側筐体１１の上面側バックライト１１５及び底面側筐体１２の底面側バックライト１２４を点灯とすることで、暗所等での操作性の向上を図ることができる。
【００３２】
なお、バックライトの点灯状態において、リモコン装置１０に開閉状態が変化した場合、ステップＳ１２の判定に応じて、底面側バックライト１２４の点灯／消灯を切り換えるものとする。
【００３３】
図７は、リモコン装置１０（マイクロプロセッサ１２３）が実行する第２バックライト制御処理の手順を示すフローチャートである。なお、本処理は、第１バックライト制御処理において、上面側バックライト１１５及び底面側バックライト１２４が点灯された際に、当該第１バックライト制御処理とともに実行されるものである。
【００３４】
まず、マイクロプロセッサ１２３は、上面側バックライト１１５及び底面側バックライト１２４を点灯した状態で（ステップＳ２１）、上面側筐体１１の操作面上に配置された操作キー群１１１、方向キー１１２、中央キー１１３及びライトキー１１４の何れかのキー（以下、上面側キーという）が操作されたか否かを判定する（ステップＳ２２）。ここで、マイクロプロセッサ１２３は、上面側キーの操作を受け付けた場合（ステップＳ２２；Ｙｅｓ）、ステップＳ２１に再び戻り、上面側バックライト１１５及び底面側バックライト１２４の点灯状態を継続する。
【００３５】
ステップＳ２２において、上面側キーの操作が行われないと判定した場合（ステップＳ２２；Ｎｏ）、マイクロプロセッサ１２３は、底面側筐体１２の操作面上に配置された入力キー群１２１（以下、底面側キーという）が操作されたか否かを判定する（ステップＳ２３）。ここで、底面側キーの操作を受け付けた場合（ステップＳ２３；Ｙｅｓ）、マイクロプロセッサ１２３は、上面側キーの無操作状態を検出してからの経過時間（以下、無操作時間という）が所定時間を経過したか否かを判定し、所定時間未満の場合には（ステップＳ２４；Ｎｏ）、ステップＳ２１に再び戻る。
【００３６】
また、ステップＳ２４において、無操作時間が所定時間を経過したと判定した場合（ステップＳ２４；Ｙｅｓ）、マイクロプロセッサ１２３は、上面側バックライト１１５を消灯し、底面側バックライト１２４の点灯を継続することで、底面側筐体１２の操作面に配置された入力キー群１２１のみを背面から照明し（ステップＳ２５）、ステップＳ２２に再び戻る。
【００３７】
一方、ステップＳ２３において、底面側キーの操作が行われないと判定した場合（ステップＳ２３；Ｎｏ）、マイクロプロセッサ１２３は、上面側キー及び底面側キーの無操作時間が所定時間を経過した否かを判定する（ステップＳ２６）。ここで、所定時間未満の場合には（ステップＳ２６；Ｎｏ）、ステップＳ２１に再び戻る。
【００３８】
また、ステップＳ２６において、無操作時間が所定時間を経過したと判定した場合（ステップＳ２６；Ｙｅｓ）、マイクロプロセッサ１２３は、上面側バックライト１１５及び底面側バックライト１２４を消灯し（ステップＳ２７）、本処理を終了する。
【００３９】
以上のように、本処理によれば、上面側バックライト１１５及び底面側バックライト１２４の点灯状態から所定時間の無操作状態で消灯する際に、上面側キー及び底面側キーの操作状態に基づき、上面側バックライト１１５及び底面側バックライト１２４の両方を消灯するか、上面側バックライト１１５のみ消灯するかを制御する。これにより、リモコン装置１０が開状態のときには、底面側筐体１２の底面側バックライト１２４を優先的に点灯し、上面側キーの無操作状態が所定時間継続した場合に、上面側バックライト１１５を消灯することができるため、不要な電力の消費を抑制することができるとともに、底面側キーの操作に係る利便性を向上させることができる。
【００４０】
なお、上面側バックライト１１５のみの点灯時（図６のステップＳ１３の状態）においても、上面側キーの無操作時間が所定時間経過した場合には、この上面側バックライト１１５を消灯するものとする。
【００４１】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００４２】
例えば、リモコン装置１０のキー構成は、上記実施形態の構成（図１や図３参照）に限定されず、任意の操作キーを配置することが可能である。また、上記実施形態では、ライトキー１１４の押下により、バックライトを点灯させる構成としたが、これに限らず、ライトキー１１４以外の他のキーが押下された場合にバックライトを点灯させる形態としてもよいし、リモコン装置１０の開閉が行われたことをトリガにバックライトを点灯させる形態としてもよい。また、バックライトの点灯中にライトキー１１４が押下された場合には、バックライトを消灯する形態としてもよい。
【００４３】
また、上記実施形態では、上面側キー及び底面側キーを照明する照明部（第１照明部及び第２照明部）として、上面側バックライト１１５及び底面側バックライト１２４を備える形態としたが、これに限らないものとする。例えば、これら上面側キー及び底面側キーをそれぞれ照明可能な位置に、上面側キー及び底面側キーのそれぞれに照明光を照射するライトを設ける形態としてもよい。なお、ライトを設ける位置は特に問わず、上面側キー及び底面側キーの周辺や近傍に設ける形態としてもよく、例えば、図３に示すリモコン装置１０の場合には、上面側筐体１１の長辺方向両側面の中央位置近傍に一対のライトを設けることで、開状態において底面側キーを照明することが可能である。
【００４４】
また、上記実施形態では、上面側筐体１１及び底面側筐体１２の略中央に位置する回動軸を中心に、上面側筐体１１と底面側筐体１２とを相対回動可能に接続する構成としたが、回動軸の位置を他の位置とする形態としてもよい。
【００４５】
また、上記実施形態では、図１〜図４に示したように、上面側筐体１１と底面側筐体１２とが、回動連結部１３により回動することで開閉状態を実現するリモコン装置１０について説明したが、本発明を適用するリモコン装置はこれに限らないものとする。例えば、回動連結部１３に代えて、上面側筐体１１及び底面側筐体１２の一方が他方に対して、上面側筐体１１の長手方向（図１のＹ軸方向）又は短手方向（図１のＸ軸方向）にスライドすることで、リモコン装置１０（上面側筐体１１及び底面側筐体１２）の開閉を行うスライド機構を備えたリモコン装置に、本発明を適用する形態としてもよい。
【００４６】
また、図８に示すように、単一の筐体から構成されるリモコン装置２０に適用する形態としてもよい。ここで、図８は、本実施形態に係るリモコン装置の他の例を示す図である。同図において、リモコン装置２０は、本体部２１の操作面上に、操作キー群２１１、方向キー２１２、中央キー２１３及びライトキー２１４が配置されている。なお、操作キー群２１１、方向キー２１２、中央キー２１３及びライトキー２１４は、上述した操作キー群１１１、方向キー１１２、中央キー１１３及びライトキー１１４に相当するものである。
【００４７】
更に、操作キー群２２は、番号入力及びそれらに関連するものである。この操作キー群２２は、図示矢印ＳＬ方向にスライド自在のカバー２３によって、通常は本体部２１の操作面には見えないように覆われている。操作キー群２２による入力を行う場合に、カバー２３を摺動させて、当該操作キー群２２を露出させるようになっている。なお、図示しないが、操作キー群２１１、方向キー２１２、中央キー２１３及びライトキー２１４を背面から照明するメインバックライトと、操作キー群２２を背面から照明するサブバックライトと、カバー２３の開閉を検出する開閉検出部とが本体部２１に設けられているものとする。
【００４８】
本発明をリモコン装置２０に適用する場合、カバー２３の開閉状態に応じて、メインバックライトとサブバックライトとの点灯／消灯を、上述した第１バックライト制御処理及び第２バックライト制御処理に基づいて行うことで、上記実施形態と同様の効果を奏することができる。
【符号の説明】
【００４９】
１０  リモコン装置
１１  上面側筐体
１１ａ  キー保持部
１１ｂ  回路基板
１１１  操作キー群
１１２  方向キー
１１３  中央キー
１１４  ライトキー
１１５  上面側バックライト
１２  底面側筐体
１２ａ  キー保持部
１２ｂ  回路基板
１２１  入力キー群
１２２  送信部
１２３  マイクロプロセッサ
１２４  底面側バックライト
１３  回動連結部
１３１  開閉検出部
２０  リモコン装置
２１  本体部
２１１  操作キー群
２１２  方向キー
２１３  中央キー
２１４  ライトキー
２２  操作キー群
２３  カバー
【図１】
2012195965.tif 000003
【図２】
2012195965.tif 000004
【図３】
2012195965.tif 000005
【図４】
2012195965.tif 000006
【図５】
2012195965.tif 000007
【図６】
2012195965.tif 000008
【図７】
2012195965.tif 000009
【図８】
2012195965.tif 000010